(57)【特許請求の範囲】
【請求項１】
複数本の線材を平行に並べて走行させることにより線材を連続的に供給する線材供給手段と、平行に並んで走行する複数本の線材の周りにテープを周回させながらそれら複数本の線材の周りにテープを連続的に巻き付けるテープ巻付手段とを有するテープ巻き装置であって、
複数本の線材の１本ずつをそれぞれ通して供給するための線材通過穴を形成するための一群の線材通過パイプまたは供線ダイスを設けると共に、線材がテープの張力によりテープ巻き付け方向に押された状態で線材が直線状に一列に並ぶように、前記線材通過穴の配置を、テープの巻き付け方向と反対側にオフセットしたことを特徴とするテープ巻き装置。
【請求項２】
請求項１に記載のテープ巻き装置において、前記オフセットの角度θが、５゜〜４５゜であることを特徴とするテープ巻き装置。
【請求項３】
請求項１または請求項２に記載のテープ巻き装置において、前記線材通過穴を出た直後の平行に並んで走行する複数本の線材の周りをカバーし、スリットからテープを内部に通して前記線材に巻き付かせ、線材の周りを周回するテープと共に前記スリットが線材の周りを周回するように軸回転するガイド筒を設けたことを特徴とするテープ巻き装置。
【請求項４】
請求項１から請求項３のいずれかに記載のテープ巻き装置において、線材にテープを巻き付けてなるケーブルを２個の滑車間でしごくようにして該ケーブル形状を矯正する矯正用２段式平溝滑車を設けたことを特徴とするテープ巻き装置。
【発明の詳細な説明】
【０００１】
【発明の属する技術分野】
本発明は、テープ巻き装置に関し、さらに詳しくは、複数本の線材を平行に且つ直線状に一列に並べた状態でその外周にテープを安定して巻き付けることのできるテープ巻き装置に関するものである。
【０００２】
【従来の技術】
図５は、従来のテープ巻き装置の一例を示す構成図である。
このテープ巻き装置５０は、走行する線材ｗの周りにテープ３を周回させながらその線材ｗの周りにテープ３を連続的に巻き付けるものであり、テープロール３０を載せて線材ｗの周りを回転するドーナツ盤状のテーピングヘッド４と、該テーピングヘッド４を回転駆動するヘッド回転駆動部４Ｍと、前記テープロール３０から水平に繰り出されるテープ３を線材ｗに巻き付ける角度にして繰り出すガイド滑車１７とを具備している。
前記テーピングヘッド４は、軸受４Ｂを介して、回転自在に、支持台４Ｓに支持されている。
前記テープ巻き装置５０は、線材ｗがテープロール３０の中心を通るため、中心式と呼ばれている。
【０００３】
【発明が解決しようとする課題】
図５に示す従来のテープ巻き装置５０は、線材ｗの断面形状が円形もしくは円形に近い形状の場合には、線材ｗの外周にテープ３を正常に巻き付けることが出来る。
しかし、図４に示すような４本の線材Ｈ，Ｌ，Ｄｈ，Ｄｌを直線状に一列に配置した高速差動伝送ケーブルＣの金属テープ巻回層（外部導体）３１を巻く場合には、テープ３の張カによって線材Ｈ，Ｌ，Ｄｈ，Ｄｌ、特に外部線材Ｄｈ，Ｄｌがテープ３の巻き付け方向に押し出される力を受け、図６に示すように内部線材Ｈ，Ｌの隙間に外部線材Ｄｈ，Ｄｌが落ち込んだ状態になりやすい問題点がある。
そこで、本発明の目的は、複数本の線材を平行に且つ直線状に一列に並べた状態でその外周にテープを安定して巻き付けることのできるテープ巻き装置を提供することにある。
【０００４】
【課題を解決するための手段】
第１の観点では、本発明は、複数本の線材を平行に並べて走行させることにより線材を連続的に供給する線材供給手段と、平行に並んで走行する複数本の線材の周りにテープを周回させながらそれら複数本の線材の周りにテープを連続的に巻き付けるテープ巻付手段とを有するテープ巻き装置であって、複数本の線材の１本ずつをそれぞれ通して供給するための線材通過穴を形成するための一群の線材通過パイプまたは供線ダイスを設けたことを特徴とするテープ巻き装置を提供する。
上記第１の観点によるテープ巻き装置では、複数本の線材の１本ずつが線材通過穴を通ることにより位置決めされるから、テープの張カによって線材がテープの巻き付け方向に押し出される力を受けても、各線材は大きく位置を外すことがない。よって、複数本の線材を所望の配置に維持したまま（例えば直線状に一列に並べた状態で）、その外周にテープを安定して巻き付けることが可能となる。なお、線材通過穴の配置は、テープから受ける力を考慮し、テープの巻き付け方向と反対側に適度にオフセットしておくことが好ましい。
また、線材通過穴は、テープ巻き準備段階での線掛けを容易にする利点もある。
【０００５】
第２の観点では、本発明は、上記構成のテープ巻き装置において、複数本の線材を分離して前記線材通過穴にそれぞれ供給するための溝付供線滑車を設けたことを特徴とするテープ巻き装置を提供する。
上記第２の観点によるテープ巻き装置では、溝付供線滑車により線材を分離して前記各線材通過穴に供給するため、線材が絡んで張力が不安定になりテープの巻き乱れが生じるのを防止できる。
【０００６】
第３の観点では、本発明は、上記構成のテープ巻き装置において、平行に並んで走行する複数本の線材の周りをカバーし、スリットからテープを内部に通して前記線材に巻き付かせ、線材の周りを周回するテープと共に前記スリットが線材の周りを周回するように軸回転するガイド筒を設けたことを特徴とするテープ巻き装置を提供する。
上記第３の観点によるテープ巻き装置では、ガイド筒のスリットがテープ巻き付け位置を規制しながらテープを線材に巻き付けるため、常に線材の同じ走行位置にて安定してテープ巻きがなされ、テープの巻き乱れが生じるのを防止できる。
【０００７】
第４の観点では、本発明は、上記構成のテープ巻き装置において、線材にテープを巻き付けてなるケーブルを２個の滑車間でしごくようにしてケーブル形状を矯正する矯正用２段式平溝滑車を設けたことを特徴とするテープ巻き装置を提供する。
上記第４の観点によるテープ巻き装置では、矯正用２段式平溝滑車でケーブルのフォーミングを行うため、残留応力が解消され、形状安定性を向上できる。
【０００８】
【発明の実施の形態】
以下、図に示す実施の形態により本発明をさらに詳細に説明する。なお、これにより本発明が限定されるものではない。
図１は、本発明の一実施形態に係るテープ巻き装置の構成図である。
このテープ巻き装置１０は、平行に並んで走行する４本の線材Ｄｈ，Ｈ，Ｌ，Ｄｌの周りにテープ３を周回させながらそれら線材Ｄｈ，Ｈ，Ｌ，Ｄｌの周りにテープ３を連続的に巻き付けるものであり、テープロール３０を載せて線材Ｄｈ，Ｈ，Ｌ，Ｄｌの周りを回転するドーナツ盤状のテーピングヘッド４と、該テーピングヘッド４を回転駆動するヘッド回転駆動部４Ｍと、前記テープロール３０から水平に繰り出されるテープ３を線材Ｄｈ，Ｈ，Ｌ，Ｄｌに巻き付ける角度にして繰り出すガイド滑車１７と、４本の線材Ｄｈ，Ｈ，Ｌ，Ｄｌの１本ずつをそれぞれ通して供給するための線材通過穴を形成するための４本の線材通過パイプ１２と、それら線材通過パイプ１２を保持し前記テーピングヘッド４の下方位置に固定具１１Ｆで下端部を固定された線材供給パイプ１１と、４本の線材Ｄｈ，Ｈ，Ｌ，Ｄｌを分離して前記線材通過穴にそれぞれ供給するための溝付供線滑車１９と、４本の線材Ｄｈ，Ｈ，Ｌ，Ｄｌの周りをカバーしスリット１８からテープ３を内部に通して前記線材Ｄｈ，Ｈ，Ｌ，Ｄｌに巻き付かせ前記テープ３と共に前記スリット１８が線材Ｄｈ，Ｈ，Ｌ，Ｄｌの周りを周回するように軸回転するガイド筒１６と、線材Ｄｈ，Ｈ，Ｌ，Ｄｌにテープ３を巻き付けてなる高速差動伝送ケーブルＣを２個の滑車１５ａ，１５ｂでしごくようにしてケーブル形状を矯正する矯正用２段式平溝滑車１５とを具備している。
【０００９】
前記テーピングヘッド４は、軸受４Ｂを介して、回転自在に、支持台４Ｓに支持されている。
【００１０】
前記矯正用２段式平溝滑車１５の２個の滑車１５ａ，１５ｂは、回転板１５ｃの両端に回転自在に軸止されている。前記回転板１５ｃは、図示せぬモータやバネにより、その中心の周りに一方向に回るように付勢されている。
矯正強度は、滑車１５ａ，１５ｂの直径の変更や付勢力の変更により、調整できる。
【００１１】
図２は、前記テープ巻き装置１０の要部断面図である。
前記４本の線材通過パイプ１２ｂ，１２ｃ，１２ｄ，１２ｅは、相互に接着され、さらに線材供給パイプ１１の内部に接着されている。
線材供給パイプ１１の上端部は、軸受１６Ｂを介して、ガイド筒１６と相互に支持しあっている。
ガイド筒１６は、その下端部がテーピングヘッド４に固着されている。
【００１２】
図３は、前記線材通過パイプ１２ｂ，１２ｃ，１２ｄ，１２ｅと前記線材供給パイプ１１と前記軸受１６Ｂと前記ガイド筒１６の配置を示す要部上面図である。
内側の２本の線材通過パイプ１２ｃ，１２ｄの穴中心を結ぶ基準線Ａに対して、外側の線材通過パイプ１２ｂと内側の線材通過パイプ１２ｃの穴中心を結ぶ線Ｂおよび外側の線材通過パイプ１２ｅと内側の線材通過パイプ１２ｄの穴中心を結ぶ線Ｂが、前記テープ３の周回方向と反対側にオフセット角度θだけオフセットした角度位置になるように、前記４本の線材通過パイプ１２ｂ，１２ｃ，１２ｄ，１２ｅは、配置され、相互に接着されている。
前記オフセット角度θは、５゜〜４５゜の間で適切な角度（例えば２０゜）を選択すればよい。
【００１３】
なお、図３の４本の線材通過パイプ１２ｂ，１２ｃ，１２ｄ，１２ｅの代わりに、これらにより形成される線材通過穴と同等の穴を穿設した供線ダイスを、軸受１６Ｂにより、ガイド筒１６内部に保持してもよい。
【００１４】
以上のテープ巻き装置１０によれば、次の効果が得られる。
（１）線材通過パイプ１２は、線材Ｄｈ，Ｈ，Ｌ，Ｄｌが絡んで線材の張力が不安定になり、テープ巻き状熊が乱れるのを防ぐ。また、テープ巻き準備段階での線掛けを容易にする。さらに、オフセット角度θを持った線材通過パイブ１２の配列つまり線材通過穴の配列は、線材とくに外部線材Ｄｈ，Ｄｌがテープ３の張力によりテープ巻き方向へ押し出され、線材の配列が崩れることを防止する。
（２）溝付供線滑車１９は、図示せぬ供線装置から供線される線材Ｄｈ，Ｈ，Ｌ，Ｄｌを１本ずつ分離して、互いに絡ませずに平行に供給するのに有効に働く。（３）スリット１８を持つガイド筒１６とガイド滑車１７とでテープ走行位置を規制することにより、常に線材Ｄｈ，Ｈ，Ｌ，Ｄｌの同じ走行位置でテープ巻きがなされるようにし、巻き乱れを防止する。
（４）矯正用２段式平溝滑車１５は、テーピング直後の高速差動伝送ケーブルＣの形状をより安定にフォーミングする。なお、高速差動伝送ケーブルＣの形状を崩さないように、キャプスタン、アキューム装置を含むパスライン滑車として平溝滑車を使用することが好ましい。
（５）上記（１）〜（４）により、図４に示す高速差動伝送ケーブルＣを安定に製造することが出来る。
【００１５】
−他の実施形態−
本発明は、線材を中心に旋回するアーム上にテープロールを装備するアーム式のテープ巻き装置、あるいは、線材と同心に配備した回転テーブル上の対向位置に突設した一対の支柱のそれぞれにロール巻きされたテープを装備して２本のテープを共巻き状に線材に巻きつけさせるタンゼンシャル式のテープ巻き装置等にも適用可能である。
【００１６】
【発明の効果】
本発明のテープ巻き装置によれば、次の効果が得られる。
（１）線材通過パイプまたは供線ダイスが形成する線材通過穴により、複数の線材が絡んで線材の張力が不安定になりテープ巻き状熊が乱れるのを防止できる。また、テープ巻き準備段階での線掛けを容易に出来る。さらに、線材がテープの張力によりテープ巻き方向へ押し出され、線材の配列が崩れることを防止できる。
（２）溝付供線滑車により、複数の線材を分離して、互いに絡ませずに、平行に安定して供給できる。
（３）スリットを持つガイド筒により、テープ走行位置を規制し、常に線材の同じ走行位置でテープ巻きがなされるようにし、巻き乱れを防止できる。
（４）矯正用２段式平溝滑車により、テーピング直後のケーブルの形状をより安定にフォーミングできる。
【図面の簡単な説明】
【図１】本発明の一実施形態に係るテープ巻き装置の模式的外観図である。
【図２】本発明の一実施形態に係るテープ巻き装置の要部断面図である。
【図３】線材通過パイプと線材供給パイプと軸受とガイド筒の配置を示す要部上面図である。
【図４】本発明のテープ巻き装置により安定に製造できる高速差動伝送ケーブルの断面図である。
【図５】従来のテープ巻き装置の一例の模式的断面図である。
【図６】従来のテープ巻き装置により製造された不良品を説明する断面図である。
【符号の説明】
３        テープ
４        テーピングヘッド
４Ｂ      軸受
４Ｍ      ヘッド回転駆動部
４Ｓ      支持台
１０      テープ巻き装置
１１      線材供給パイプ
１１Ｆ    固定具
１２，１２ｂ，１２ｃ，１２ｄ，１２ｅ      線材通過パイプ
１５      段式平溝滑車
１５ａ，１５ｂ      滑車
１５ｃ    回転板
１６      ガイド筒
１６Ｂ    軸受
１７      ガイド滑車
１８      スリット
１９      溝付供線滑車
３０      テープロール
Ｃ      高速差動伝送ケーブル
Ｄｈ，Ｄｌ          外部線材
Ｈ，Ｌ    内部線材
θ        オフセット角度
【図１】
0003966675.tif 000002
【図２】
0003966675.tif 000003
【図３】
0003966675.tif 000004
【図４】
0003966675.tif 000005
【図５】
0003966675.tif 000006
【図６】
0003966675.tif 000007